(57)【要約】    【課題】  ロック機能を損なうことなく、少ない部品で、しかも簡単な構成で、操作性の優れた、使い易いカメラを提供することを目的とする。    【解決手段】  回転操作される回転操作ダイアル６と、この回転操作ダイアル６を所定位置にロックするロック機能と、回転操作ダイアル６が装着される本体ケース２とを備えたカメラ１において、回転操作ダイアル６が弾性体により一体的に形成され、かつ、この回転操作ダイアル６の、本体ケース２の外側に位置する部分に、操作レバー６３１を、本体ケース２内に位置する部分に、本体ケース２の内側に形成されたロック溝２３に嵌合するフック６３２を、有するロックレバー部を備えている。【選択図】図３
2005352214.tif 000002
【特許請求の範囲】
【請求項１】
回転操作される回転操作ダイアルと、この回転操作ダイアルを所定位置にロックするロック機能と、前記回転操作ダイアルが装着される本体ケースとを備えたカメラにおいて、
前記回転操作ダイアルが、ダイアル本体と、このダイアル本体の外周部に位置する回転操作部と、この回転操作部の一部を含み前記ダイアル本体の円周方向の一部を切り欠いて形成したロックレバー部と、このロックレバー部と前記ダイアル本体とを連結する連結部とを備え、弾性体により一体的に形成され、かつ、前記ロックレバー部の前記本体ケースの外側に位置する部分に、操作レバーを、前記本体ケース内に位置する部分に、前記本体ケースの内側に形成されたロック溝に嵌合するとともに、前記操作レバーに連動し、前記連結部を支点として前記操作レバーとは、逆方向に移動するフックを形成したことを特徴とするカメラ。
【請求項２】
回転操作される回転操作ダイアルと、この回転操作ダイアルを所定位置にロックするロック機能と、前記回転操作ダイアルが装着される本体ケースとを備えたカメラにおいて、
前記回転操作ダイアルが弾性体により一体的に形成され、かつ、この回転操作ダイアルの、前記本体ケースの外側に位置する部分に、操作レバーを、前記本体ケース内に位置する部分に、前記本体ケースの内側に形成されたロック溝に嵌合するフックを、有するロックレバー部を備えていることを特徴とするカメラ。
【請求項３】
前記回転操作ダイアルを、合成樹脂で一体的に形成したことを特徴とする請求項１または請求項２のいずれかに記載のカメラ。
【請求項４】
前記合成樹脂が、アクリロニトリル・ブタジエン・スチレン樹脂であることを特徴とする請求項３に記載のカメラ。
【請求項５】
前記本体ケースの内側に、リブを設け、このリブにより前記ロック溝を形成したことを特徴とする請求項１または請求項２のいずれかに記載のカメラ。
【請求項６】
前記リブに、前記フックが前記ロック溝側に移動する際、スライドする傾斜を形成したことを請求項５に記載のカメラ。
【請求項７】
前記リブを、帯状に形成したことを特徴とする請求項５または請求項６のいずれかに記載のカメラ。
【発明の詳細な説明】
【技術分野】
【０００１】
本発明は、例えばモード設定ダイアルなど回転操作される回転操作ダイアルを、回転方向の所定の位置にロックするロック機能を備えたカメラに関し、特にその操作性の向上を図ったものである。
【背景技術】
【０００２】
周知の通り、カメラにおいては、回転操作ダイアル、例えばモード設定ダイアル、シャッタスピード設定ダイアル、露出補正値設定ダイアルなどを用い、複数の設定情報の選択を同一箇所で操作できるように構成している。このような、回転操作ダイアルが、偶発的な力により回転し、撮影モードが切り替わると、意図しない結果を招来し、酷い場合には、故障の原因となることがある。
【０００３】
上述のような点を考慮して、従来では、回転操作ダイアルと同一平面上に隣接して、押し釦を設け、この押し釦でロックバネを押し下げ、回転操作ダイアルの下面に形成した溝に嵌合したロックバネの先端の係合を外し、ロックを解除するようにしたものがある(例えば、特許文献1参照）。
【特許文献１】特開２００３−７５８９８号公報
【発明の開示】
【発明が解決しようとする課題】
【０００４】
、
しかし、前述の特許文献１記載の構成では、回転操作ダイアルとは別に、ロックを解除する押し釦、ロックバネ、更にはロックバネを固定するための構成および固定部材などが必要となり、部品点数が多くなり、しかもその構成が複雑で、作業性が極めて悪い、などといった問題があった。
【０００５】
本発明は、上述した問題を解決するためになされたものであり、ロック機能を損なうことなく、少ない部品で、しかも簡単な構成で、操作性の優れた、使い易いカメラを提供することを目的とする。
【課題を解決するための手段】
【０００６】
かかる目的を達成するため、請求項１記載の発明では、回転操作される回転操作ダイアルと、この回転操作ダイアルを所定位置にロックするロック機能と、前記回転操作ダイアルが装着される本体ケースとを備えたカメラにおいて、前記回転操作ダイアルが、ダイアル本体と、このダイアル本体の外周部に位置する回転操作部と、この回転操作部の一部を含み前記ダイアル本体の円周方向の一部を切り欠いて形成したロックレバー部と、このロックレバー部と前記ダイアル本体とを連結する連結部とを備え、弾性体により一体的に形成され、かつ、前記ロックレバー部の前記本体ケースの外側に位置する部分に、操作レバーを、前記本体ケース内に位置する部分に、前記本体ケースの内側に形成されたロック溝に嵌合するとともに、前記操作レバーに連動し、前記連結部を支点として前記操作レバーとは、逆方向に移動するフックを形成する。
【０００７】
請求項２記載の発明では、回転操作される回転操作ダイアルと、この回転操作ダイアルを所定位置にロックするロック機能と、前記回転操作ダイアルが装着される本体ケースとを備えたカメラにおいて、前記回転操作ダイアルが弾性体により一体的に形成され、かつ、この回転操作ダイアルの、前記本体ケースの外側に位置する部分に、操作レバーを、前記本体ケース内に位置する部分に、前記本体ケースの内側に形成されたロック溝に嵌合するフックを、有するロックレバー部を備えている。
【０００８】
請求項３記載の発明では、前記回転操作ダイアルを、合成樹脂で一体的に形成する。
【０００９】
請求項４記載の発明では、前記合成樹脂が、アクリロニトリル・ブタジエン・スチレン樹脂である。
【００１０】
請求項５記載の発明では、前記本体ケースの内側に、リブを設け、このリブにより前記ロック溝を形成する。
【００１１】
請求項６記載の発明では、前記リブに、前記フックが前記ロック溝側に移動する際、スライドする傾斜を形成する。
【００１２】
請求項７記載の発明では、前記リブを、帯状に形成する。
【発明の効果】
【００１３】
請求項１記載の発明の構成によれば、回転操作ダイアルは、ダイアル本体と、回転操作部と、ロック機能を操作する操作レバーおよびロックアームとして機能するフックを有するロックレバー部と、このロックレバー部とダイアル本体とを連結する連結部とを備え、しかもこれらは弾性体により一体的に形成されているので、極めて簡単な構成となるとともに、部品点数が極めて少なくなり、その作業性も良くなる他、回転操作ダイアルを操作することにより、ロック解除操作もできるので、操作性が優れ、使い易い、などといった効果を奏する。
【００１４】
請求項２記載の発明の構成によれば、回転操作ダイアルは、回転操作部と、ロック機能を操作する操作レバーおよびロックアームとして機能するフックを有するロックレバー部とが、弾性体により一体的に形成されているので、極めて簡単な構成となるとともに、部品点数が極めて少なくなり、その作業性も良くなる他、回転操作ダイアルを操作することにより、ロック解除操作もできるので、操作性が優れ、使い易い、などといった効果を奏する。
【００１５】
請求項３記載の発明の構成によれば、回転操作ダイアルを、金型を用いて合成樹脂により一体的に成形すれば良く、作業性が良い、などといった効果を奏する。
【００１６】
請求項４記載の発明の構成によれば、回転操作ダイアルを、アクリロニトリル・ブタジエン・スチレン樹脂で一体的に成形しているので、弾力性および耐久性に優れており、長期間の使用に耐えることができ、都合がよい。
【００１７】
請求項５記載の発明の構成によれば、ロック溝は、本体ケースの内側にリブを設けるのみでよく、特別な部材を用いることなく形成できるので、都合がよい。
【００１８】
請求項６記載の発明の構成によれば、リブに、フックがロック溝側に移動する際、スライドする傾斜を形成しているので、ロック操作をスムースに行うことができ、都合がよい。
【００１９】
請求項７記載の発明の構成によれば、リブは、帯状に形成されているので、本体ケースの補強を兼ねることができ、都合がよい。
【発明を実施するための最良の形態】
【００２０】
回転操作される回転操作ダイアルと、この回転操作ダイアルを所定位置にロックするロック機能と、前記回転操作ダイアルが装着される本体ケースとを備えたカメラにおいて、前記回転操作ダイアルが、ダイアル本体と、このダイアル本体の外周部に位置する回転操作部と、この回転操作部の一部を含み前記ダイアル本体の円周方向の一部を切り欠いて形成したロックレバー部と、このロックレバー部と前記ダイアル本体とを連結する連結部とを備え、アクリロニトリル・ブタジエン・スチレン樹脂により一体的に形成され、かつ、前記ロックレバー部の前記本体ケースの外側に位置する部分に、操作レバーを、前記本体ケース内に位置する部分に、前記本体ケースの内側に形成されたロック溝に嵌合するとともに、前記操作レバーに連動し、前記連結部を支点として前記操作レバーとは、逆方向に移動するフックを形成する。
【実施例】
【００２１】
以下、本発明の一実施例を図１乃至図５に基づいて説明する。図１は、本発明の一実施例に係るロック機能を備えたカメラの概略構成を示す斜視図、図２は、図１に示す本発明の一実施例に係るカメラに用いられる回転操作ダイアルの一例を示す正面図、図３および図４は、図１に示す本発明の一実施例に係るカメラの要部の一部を断面して示す一部断面図で、図３は、ロック状態を示し、図４は、非ロック状態を示す。図５は、図１に示す本発明の一実施例に係るカメラの本体ケースの上面の内側のロック溝と回転操作ダイアルのロックレバー部のフックとの関係を示す概略図である。
【００２２】
図１に示すカメラ１の本体ケース２の背面２１には、例えば液晶表示部３と、ファインダ窓４などが配置されている。本体ケース２の上面２２には、シャッター釦５と、例えばモード設定を行う際に回転操作される回転操作ダイアル６およびこの回転操作ダイアル６の上面に表示された標識７を指示する指標部８などが配置されている。標識７としては、設定可能なモードを示すスイッチオン、スイッチオフ「Ｌ」やプログラムモード「Ｐ」などが表示されている。従って、回転操作ダイアル６の回転操作部６１を回転操作し、指標部８に、所望の標識７を合わせることにより、図示しないが、電気的接続がなされ、カメラ本体の制御部に伝達され、モード設定が行われる。また、正面には、図示しない撮影用レンズや、ストロボなどが配置されている。
【００２３】
而して、本発明に従い、回転操作される回転操作ダイアル６は、ダイアル本体６２と、このダイアル本体６２の外周部に位置する回転操作部６１と、この回転操作部６１の一部を含みダイアル本体６２の円周方向の一部を切り欠いて形成したロックレバー部６３と、このロックレバー部６３とダイアル本体６２とを連結する連結部６４とを備え、弾性体により一体的に形成されている。弾性体としては、合成樹脂、例えば、アクリロニトリル・ブタジエン・スチレン樹脂を用い、回転操作ダイアル６を金型により一体成形すれば良い。このようにアクリロニトリル・ブタジエン・スチレン樹脂で、回転操作ダイアル６を一体的に成形すると、弾力性および耐久性に優れており、長期間の使用に耐えることができ、都合がよい。
【００２４】
ロックレバー部６３は、本体ケース２の外側に位置する部分に、操作レバー６３１を、また、本体ケース内２に位置する部分に、本体ケース２の内側に形成されたロック溝２３に嵌合するとともに、操作レバー６３１に連動し、連結部６４を支点として操作レバー６３１とは、逆方向に移動するフック６３２が形成されている。
【００２５】
ロック溝２３は、回転操作ダイアル６の本体ケース２内の所定位置、すなわちロックする位置に形成されおり、例えば、本体ケース２の内側の天井に、２つの帯状のリブ２４を設け、このリブ２４間により形成されている。このように、本体ケース２の内側にリブ２４を設けることにより、ロック溝２３を形成すると、本体ケース２を製作する際、一体に形成することができ、特別な部材を必要としないので、都合がよい。また、リブ２４は、本体ケース２を形成する際に一体に形成すればよく、例えば、本体ケース２を合成樹脂で成型する場合には、金型を準備するのみでよいので、都合がよい。また、このリブ２４のフック６３２に対応する面に、例えば、傾斜２４１を形成し、フック６３２がロック溝２３側に移動する際、スライドするようにすると、ロック操作をスムースに行うことができ、都合がよい。更に、リブ２４を、帯状に形成すると、本体ケース２の補強を兼ねることができ、都合がよい。なお、このロック溝２３は、図示する例では、1個であるが必要に応じて、複数個設けても良いのは勿論である。
【００２６】
以上のように構成された本実施例によるカメラのモード設定について説明する。カメラ１が、スイッチオフ「Ｌ」（図３参照）の状態から、撮影するために例えば、プログラムモード「Ｐ」（図４参照）の状態に切り替える場合、カメラ１本体を保持した状態で操作レバー６３の操作レバー６３１を、図４において矢印ｂ側に押して、フック６３２と、ロック溝２３との嵌合を解き、このロックを解除した状態（図４参照）で、回転操作部６１を図２において矢印ａ側に回転し、プログラムモード「Ｐ」の標識７を、指標部８に合わせて所望の設定にする。その後、操作レバー６３１の押圧を開放すると、ロックレバー部６３は、そのものの弾性力により、図４において矢印ｂ側と反対側に復帰し、その状態が保持される。この場合、本体ケース２の内側の所定位置に、フック６３２が係合する凹部（図示せず）を形成しておくと、位置決めが確実となり、好ましい。
【００２７】
以上の構成による本実施例では、回転操作ダイアル６は、ダイアル本体６２と、回転操作部６１と、ロック機能を操作する操作レバー６３１およびロックアームとして機能するフック６３２を有するロックレバー部６３と、このロックレバー部６３とダイアル本体６２とを連結する連結部６４とを備え、しかもこれらは弾性体により一体的に形成されているので、極めて簡単な構成となるとともに、従来のように、ロックバネや押し釦などを必要としないので、部品点数が極めて少なくなり、しかも従来のような組立作業が不要となり、その作業性も良くなる他、回転操作ダイアルを操作することにより、ロック解除操作もできるので、操作性が優れ、使い易い、などといった効果を奏する。
【００２８】
なお、上述した実施例は、本発明の好適な実施例であるが、本発明はこれに限定されるものではなく、本発明の要旨を逸脱しない範囲において、種々変形実施可能である。
【図面の簡単な説明】
【００２９】
【図１】本発明の一実施例に係るロック機能を備えたカメラの概略構成を示す斜視図である。
【図２】図１に示す本発明の一実施例に係るカメラに用いられる回転操作ダイアルの一例を示す正面図である。
【図３】図１に示す本発明の一実施例に係るカメラの要部の一部を断面して示す一部断面図で、ロック状態を示す一部断面図である。
【図４】同じく図１に示す本発明の一実施例に係るカメラの要部の一部を断面して示す一部断面図で、非ロック状態を示す一部断面図である。
【図５】図１に示す本発明の一実施例に係るカメラの本体ケースの上面の内側のロック溝と回転操作ダイアルのロックレバー部のフックとの関係を示す概略図である。
【符号の説明】
【００３０】
１      カメラ
２      本体ケース
２３    ロック溝
２４    リブ
２４１  傾斜
６      回転操作ダイアル
６１    回転操作部
６２    ダイアル本体
６３    ロックレバー部
６３１  操作レバー
６３２  フック
６４    連結部
【図１】
2005352214.tif 000003
【図２】
2005352214.tif 000004
【図３】
2005352214.tif 000005
【図４】
2005352214.tif 000006
【図５】
2005352214.tif 000007